(57)【要約】【課題】  固定速ズームにおける速度切り換えを撮影最中に素早く対応するための配置構成を行うことを課題とする。【解決手段】  ズーム機能を有する撮影装置でズーム移動速度が一定速で動作する固定速ズームシステムに於いて固定速ズームの速度切り替えスイッチがズーム操作ツマミの近傍に配置した事を特徴とする撮影装置。【選択図】  図１
2006023561.tif 000002
【特許請求の範囲】
【請求項１】
ズーム機能を有する撮影装置でズーム移動速度が一定速で動作する固定速ズームシステムに於いて固定速ズームの速度切り替えスイッチがズーム操作ツマミの近傍に配置した事を特徴とする撮影装置。
【請求項２】
ズーム機能を有する撮影装置でズーム操作ツマミの可動範囲内でズーム移動速度を変化させる事が出来る可変速ズームシステムと前記ズーム操作ツマミの可動範囲内でズーム移動速度が一定速で動作する固定速ズームシステムを各選択出来る構成であって、その選択する為の切り換えスイッチがズーム操作ツマミの近傍に配置した事を特徴とする撮影装置。
【請求項３】
ズーム機能を有する撮影装置でズーム操作ツマミの可動範囲内でズーム移動速度を変化させる事が出来る可変速ズームシステムと前記ズーム操作ツマミの可動範囲内でズーム移動速度が一定速で動作する固定速ズームシステムを各選択出来る構成であって、その選択する為の切り換えスイッチと固定速ズームの速度切り換えスイッチがズーム操作ツマミの近傍に配置した事を特徴とする撮影装置。
【請求項４】
本体に第二若しくは複数のズーム操作ツマミを有する撮像装置で第一のズーム操作ツマミの動作設定である可変速又は固定速の設定、或いはその速度の設定を行うことで第二若しくは複数のズーム操作ツマミは第一のズーム動作設定と連動する事を特徴とする撮影装置。
【請求項５】
請求項１乃至４に記載の撮影装置において、録画開始及び一時停止を行うツマミ（トリガーツマミ）がズーム操作ツマミの近傍に配置した事を特徴とする撮影装置。
【発明の詳細な説明】
【技術分野】
【０００１】
本発明はズーム操作が出来る撮影装置でズーム操作ツマミとズーム速度切り換えスイッチの配置構成に関するものである。
【背景技術】
【０００２】
従来、ズーム機能を有した撮影装置において一定の速度で移動させる固定速ズームで撮影状態の変化に対して必要に応じてズーム速度の切り換えを行っていた（例えば、特許文献１）。
【特許文献１】特開平３−１３０７２号公報
【発明の開示】
【発明が解決しようとする課題】
【０００３】
しかしこのズーム速度を切り換える為には予め録画を始める前にメニュー操作などで設定する必要があり、撮影最中での変更は出来無かった為不便であった。
【０００４】
本発明は固定速ズームにおける速度切り換えを撮影最中に素早く対応するための配置構成を行うことを目的とする。
【課題を解決するための手段】
【０００５】
上記目的を達成する為に本発明ではズーム操作ツマミ近傍に固定速切り換えスイッチを配置する事で撮影最中に速度変更が必要になった場合でも保持状態を変えずに片手で素早く調整する事が可能になった。
【発明の効果】
【０００６】
撮影状態の変化に対してその場で保持形態を変えずに撮影最中にズーム速度の調整が出来る様になった。
【発明を実施するための最良の形態】
【０００７】
（実施例１）
図１は実施例１であるズーム速度切り換えスイッチの配置図であり１０１は撮影装置の機器を手で保持する為のグリップ部筐体、１０２はズーム操作ツマミで動作はセルフリターン方式で操作した指を離すと図の位置に操作ツマミが戻る。１０３はズーム操作ツマミの移動方向でこの方向にズーム操作ツマミを可動させることで撮影映像の画角を望遠方向、至近方向に変化させる事が出来る。
【０００８】
ズーム操作ツマミの動作方法は回転型以外にはスライド型もあり同様にセルフリターン方式で指を離すと操作ツマミの可動範囲の中心に戻るようになっている。１０４はズーム速度切り換えスイッチで１０５方向に回転する事で撮影状態に合わせたズーム移動速度を選択する事が出来る。１０４のズーム速度切り換えスイッチは回転型だけでは無くスライド方向に可動させて選択する操作ツマミも可能であり、又タクトスイッチを利用して押した回数で選択する方法も可能である。
【０００９】
この様にズーム操作ツマミの近傍にズーム速度切り換えスイッチを配置する事ことによって片手で変更することが出来る為ズーム速度の設定変更が素早く行うことが出来る。
【００１０】
（実施例２）
図２は実施例２であるズーム操作ツマミの可動範囲内でズーム移動速度を可変速と固定速に切り換えることが出来る切り換えスイッチの配置図であり、１０１は撮影装置の機器を手で保持する為のグリップ部筐体、１０２はズーム操作ツマミで動作はセルフリターン方式で操作した指を離すと図の位置に操作ツマミが戻る。
【００１１】
１０３はズーム操作ツマミの移動方向でこの方向にズーム操作ツマミを可動させることで撮影映像の画角を望遠方向、至近方向に変化させる事が出来る。ズーム操作ツマミの動作方法は回転型以外にはスライド型もあり同様にセルフリターン方式で指を離すと操作ツマミの可動範囲の中心に戻るようになっている。１０６はズーム移動速度を可変速と固定速に切り換えるスイッチで１０７方向に回転移動し選択する。
【００１２】
この１０６の可動方法はスライド方向に可動させて選択することも可能であり、又タクトスイッチを利用して押した回数で選択する方法も可能である。この様にズーム操作ツマミの近傍にズーム移動速度の可変速と固定速に切り換えスイッチを配置する事ことによって片手で変更することが出来る為素早く設定変更を行うことが出来る。
【００１３】
（実施例３）
図３は実施例３であるズーム速度切り換えスイッチズームと操作ツマミの可動範囲内でズーム移動速度を可変速と固定速に切り換えることが出来る切り換えスイッチを共にズーム操作ツマミの近傍に配置した図あり、１０１は撮影装置の機器を手で保持する為のグリップ部筐体、１０２はズーム操作ツマミで動作はセルフリターン方式で操作した指を離すと図の位置に操作ツマミが戻る。
【００１４】
１０３はズーム操作ツマミの移動方向でこの方向にズーム操作ツマミを可動させることで撮影映像の画角を望遠方向、至近方向に変化させる事が出来る。ズーム操作ツマミの動作方法は回転型以外にはスライド型もあり同様にセルフリターン方式で指を離すと操作ツマミの可動範囲の中心に戻るようになっている。
【００１５】
１０４はズーム速度切り換えスイッチで１０５方向に回転する事で撮影状態に合わせたズーム移動速度を選択する事が出来る。１０４のズーム速度切り換えスイッチは回転型だけでは無くスライド方向に可動させて選択する操作ツマミも可能であり、又タクトスイッチを利用して押した回数で選択する方法も可能である。
【００１６】
１０６はズーム動作設定を可変速と固定速に切り換えるスイッチで１０７方向に回転移動し選択する。この１０６の可動方法はスライド方向に可動させて選択することも可能であり、又タクトスイッチを利用して押した回数で選択する方法も可能である。この様にズーム操作ツマミの近傍にズーム速度切り換えスイッチとズーム動作設定の可変速と固定速に切り換えスイッチを共に配置する事ことによって片手で変更することが出来る為素早く設定変更を行うことが出来る。
【００１７】
（実施例４）
図４は実施例４であり、１０１は撮影装置の機器を手で保持する為のグリップ部筐体、１０２は第１のズーム操作ツマミで動作方法は実施例１乃至３で記載した内容と同じである。
【００１８】
１０４はズーム速度切り換えスイッチで撮影状態に合わせたズーム移動速度を選択する事が出来る。動作方法は実施例２、３で記載した内容と同じである。
【００１９】
１０６はズーム動作設定を可変速と固定速に切り換えるスイッチであり動作方法は実施例３と同じである。１０８は第２のズーム操作ツマミで１０２の第１ズーム操作ツマミの動作設定と連動することが出来る。但しメニュー等で動作設定の変更は可能であり連動、非連動にすることが出来る。動作はセルフリターン方式で操作した指を離すと図の位置に操作ツマミが戻る。
【００２０】
１０３はズーム操作ツマミの移動方向でこの方向にズーム操作ツマミを可動させることで撮影映像の画角を望遠方向、至近方向に変化させる事が出来る。ズーム操作ツマミの動作方法は回転型以外にはスライド型もあり同様にセルフリターン方式で指を離すと操作ツマミの可動範囲の中心に戻るようになっている。この様に本体に第２若しくは複数のズーム操作ツマミを有する撮像装置であっても第１のズーム操作ツマミの動作設定と連動する事が出来る。
【００２１】
（実施例５）
図５は実施例５であり、１０１は撮影装置の機器を手で保持する為のグリップ部筐体、１０２は第１のズーム操作ツマミで動作方法は実施例１乃至３で記載した内容と同じである。
【００２２】
１０４はズーム速度切り換えスイッチで撮影状態に合わせたズーム移動速度を選択する事が出来る。動作方法は実施例２、３で記載した内容と同じである。１０６はズーム動作設定を可変速と固定速に切り換えるスイッチであり動作方法は実施例３と同じである。１１０は録画開始及び一時停止を行うツマミ（通称トリガーツマミ）がズーム操作ツマミで押す事で録画開始及び一時停止の切り換えを行う。この様にズーム操作ツマミの近傍に録画開始及び一時停止を行うツマミを配置する事ことによって片手で撮影時に必要なズーム操作と各ズーム設定変更、録画開始及び一時停止を共に行うことが出来る。
【００２３】
図６は、上記で説明した実施例１乃至５の撮影装置の回路ブロック解説図であり、２０１は撮影装置の撮像部で撮影する映像を機器に取り込み、２０２は２０１の撮像部からの信号を処理するカメラ信号処理回路、２０５は２０２を制御するマイクロコンピューター（以下マイコンと略す）である。２０４はカメラ部操作キーであり、ズーム操作ツマミ等はこれに属しマイコン２０５がその情報を読み取る。２０７もマイコンであり主に撮影装置全体のシステムコントロールを行う。マイコン２０７はマイコン２０５と通信を行っている。２０６は記録媒体駆動装置の操作キーでマイコン２０７がその情報を読み取る。２０３は画像表示装置で撮像部２０１によって撮影した画像を不図示観察者が観察する事が可能である。画像表示装置２０３はマイコン２０７の制御によって電源供給を受けている。２０９は記録媒体駆動装置、２０８は記録媒体駆動装置２０９を制御するマイコンでマイコン２０７と通信を行っている。また２１０は記録媒体信号処理回路で２１１の記録媒体信号処理変換ブロックを経て２１２の記録媒体に記録させる。記録媒体２１２は２０９によって駆動される。２１３は撮影装置の電源スイッチでマイコン２０７が情報を読み取る。
【００２４】
以上説明した様に、本実施例によれば以下のことが可能になった。
【００２５】
ズーム操作ツマミ近傍に固定速ズームの速度切り換えスイッチを配置する事で撮影状態の変化に対してその場で保持形態を変えずに撮影最中にズーム速度の調整が出来る様になった。
【００２６】
ズーム操作ツマミ近傍にズーム移動速度の可変速と固定速を各選択出来る切り換えスイッチを配置することで同様に撮影状態の変化に対してその場で保持形態を変えずに撮影最中にズーム動作の切り換えが出来る様になった。
【００２７】
ズーム操作ツマミの近傍にズーム速度切り換えスイッチとズーム動作設定の可変速と固定速に切り換えスイッチを共に配置する事ことによって同様に撮影状態の変化に対してその場で保持形態を変えずに撮影最中にズーム動作の切り換えが出来る様になった。
【００２８】
本体に第２若しくは複数のズーム操作ツマミを有する撮像装置であっても第１のズーム操作ツマミの動作設定と連動する事が出来る様になった。
【００２９】
ズーム操作ツマミの近傍にズーム速度切り換えスイッチとズーム動作設定の可変速と固定速に切り換えスイッチを配置し録画開始及び一時停止を行うツマミも設定する事ことによって片手で撮影時に必要なズーム操作と各ズーム設定変更、録画開始及び一時停止を共に行うことが出来る様になった。
【図面の簡単な説明】
【００３０】
【図１】本発明の実施例１に係る構成図である。
【図２】本発明の実施例２に係る構成図である。
【図３】本発明の実施例３に係る構成図である。
【図４】本発明の実施例４の実施例に係る構成図である。
【図５】本発明の実施例５に係る構成図である。
【図６】本発明の実施例１乃至５の撮影装置の回路ブロック解説図である。
【符号の説明】
【００３１】
１０１  グリップ部筐体
１０２  ズーム操作ツマミ
１０４  ズーム速度切り換えスイッチ
１０６  ズーム動作設定切り換えるスイッチ
１０８  第２ズーム操作ツマミ
１１０  録画開始及び一時停止を行うツマミ
【図１】
2006023561.tif 000003
【図２】
2006023561.tif 000004
【図３】
2006023561.tif 000005
【図４】
2006023561.tif 000006
【図５】
2006023561.tif 000007
【図６】
2006023561.tif 000008